(57)【要約】  無線通信システムに適用されるリモート無線装置を提供する。  該リモート無線装置は、検出インターフェースを設け、アンテナ給電インターフェースの信号をカプラーによって検出インターフェースにカップリングする。検出において、検出インターフェースの検出によりリモート無線装置に故障が発生したか否かを直接に判定し、検出がさらに簡単で、機器の動作中にアンテナ給電ケーブルを切断する必要がなく、減衰器を別途に追加する必要もなく、リモート無線装置を分解する必要もなく、メンテナンスの難易度及び作業量を低減できる。
2015531555.tif 000002
【特許請求の範囲】
【請求項１】
アンテナ給電ケーブルを接続するための少なくとも一つのアンテナ給電インターフェースを備え、さらに、検出インターフェースとカプラーの組合せを少なくとも一つ備え、一つの前記組合せには、一つの検出インターフェースと一つのカプラーとが備えられ、
前記カプラーは、前記アンテナ給電インターフェースからの信号伝送リンクに接続され、
一つの前記組合せにおいて、検出インターフェースとカプラーが接続されるリモート無線装置。
【請求項２】
前記カプラーは、入力端と、直通端と、カップリング端とを備え、
前記カプラーは、入力端と直通端を介して前記アンテナ給電インターフェースからの信号伝送リンクに接続され、前記カップリング端は前記検出インターフェースに接続される請求項１に記載のリモート無線装置。
【請求項３】
一つの前記アンテナ給電インターフェースに対応して、二つの前記組合せが設けられ、二つの前記カプラーは前記アンテナ給電インターフェースからの信号伝送リンクに直列接続され、当該二つの前記カプラーの間は入力端又は直通端を介して接続される請求項２に記載のリモート無線装置。
【請求項４】
二つのアンテナ給電インターフェースが設けられる請求項３に記載のリモート無線装置。
【請求項５】
ケースを備え、前記検出インターフェースがケースに設けられる請求項１乃至４のいずれか１項に記載のリモート無線装置。
【請求項６】
前記ケースに溝がさらに設けられ、前記検出インターフェースが当該溝に設けられる請求項５に記載のリモート無線装置。
【請求項７】
前記溝の開口にカバープレートがさらに設けられる請求項６に記載のリモート無線装置。
【請求項８】
ケースを備え、前記ケースに孔と当該孔を覆うためのカバープレートが設けられ、前記検出インターフェースが当該孔内に設けられる請求項１乃至４のいずれか１項に記載のリモート無線装置。
【請求項９】
前記アンテナ給電インターフェースに接続されるデュプレクサを備え、前記カプラーは前記デュプレクサとアンテナ給電インターフェースとの間に接続される請求項１乃至４のいずれか１項に記載のリモート無線装置。
【請求項１０】
前記アンテナ給電インターフェースに接続される前記デュプレクサを備え、前記カプラーは前記デュプレクサに固定される請求項９に記載のリモート無線装置。
【発明の詳細な説明】
【技術分野】
【０００１】
本発明は、無線通信システムに関し、具体的に、リモート無線ユニットに関する。
【背景技術】
【０００２】
通常、ＲＲＵ（リモート無線ユニット／リモート無線装置、Ｒａｄｉｏ  Ｒｅｍｏｔｅ  Ｕｎｉｔ）は、室外のタワーや屋上（例えば、基地局）に応用されるもので、装着の高さが高く、搬送に不便である。ＲＲＵは、通常、ケースと、ケースに設けられ、アンテナ給電ケーブルに接続されるアンテナ給電インターフェースと、ケースの内部に設けられる電源プレート及び受送信プレートと、各インターフェースに接続されるデュプレクサと、を備える。ＲＲＵの実際の運行中に問題が発生すると、ＲＲＵに故障が発生したと判定し、点検しようとする場合、アンテナ給電ケーブルを切断して、ケースの外部からアンテナ給電インターフェースに減衰器を接続してからＲＲＵ  ＡＮＴ（アンテナ給電口）から出力される信号を測定し、又はＲＲＵを分解して測定する。このように操作すると煩雑であり、危険性も大きく、且つ、インターフェースの順方向の出力パワーしか検出できない。
【発明の概要】
【発明が解決しようとする課題】
【０００３】
本発明は、ＲＲＵの故障を検出する際に操作が煩雑であり、危険性が高く、インターフェースの順方向の出力パワーしか検出できない問題に鑑み、検出が簡単で、上記の問題の中の少なくとも一つを解決できるリモート無線装置を提供することをその目的とする。
【課題を解決するための手段】
【０００４】
上記技術課題を解決するために、本発明は、アンテナ給電ケーブルを接続するための少なくとも一つのアンテナ給電インターフェースを備え、さらに、検出インターフェースとカプラーの組合せを少なくとも一つ備え、一つの前記組合せには、一つの検出インターフェースと一つのカプラーとが備えられ、前記カプラーは、前記アンテナ給電インターフェースからの信号伝送リンクに接続され、一つの前記組合せにおいて、検出インターフェースとカプラーが接続されるリモート無線装置を提供する。
【０００５】
前記カプラーは、入力端と、直通端と、カップリング端とを備え、前記カプラーは、入力端と直通端を介して前記アンテナ給電インターフェースからの信号伝送リンクに接続され、前記カップリング端は前記検出インターフェースに接続される。
【０００６】
一つの前記アンテナ給電インターフェースに対応して、二つの前記組合せが設けられ、二つの前記カプラーは前記アンテナ給電インターフェースからの信号伝送リンクに直列接続され、当該二つの前記カプラーの間は入力端又は直通端を介して接続される。
【０００７】
前記リモート無線装置に、二つのアンテナ給電インターフェースが設けられる。
【０００８】
前記リモート無線装置は、ケースを備え、前記検出インターフェースがケースに設けられる。
【０００９】
前記リモート無線装置は、前記アンテナ給電インターフェースに接続されるデュプレクサを備え、前記カプラーは前記デュプレクサとアンテナ給電インターフェースとの間に接続される。
【００１０】
前記リモート無線装置は、前記アンテナ給電インターフェースに接続されるデュプレクサを備え、前記カプラーは前記デュプレクサに固定される。
【００１１】
一実施形態において、前記ケースに溝がさらに設けられ、前記検出インターフェースが当該溝に設けられる。
【００１２】
前記溝の開口にカバープレートがさらに設けられる。
【００１３】
他の実施形態において、前記リモート無線装置は、ケースを備え、前記ケースに孔と当該孔を覆うためのカバープレートが設けられ、前記検出インターフェースが当該孔内に設けられる。
【発明の効果】
【００１４】
使用の際、対応する検出インターフェースの実際の結合度を標記する。検出において、スペクトラムアナライザで当該検出インターフェースの信号を直接的に測定し、それに結合度を加えれば、アンテナ給電インターフェースの順方向パワー又は逆方向パワーを得ることができ、且つアンテナ給電インターフェースから出力される信号のスペクトラムを調査又は復調を行い、信号の品質を調査することができる。
【００１５】
本発明によれば、以下の効果を実現できる。本発明によれば、リモート無線装置を提供し、検出インターフェースを設け、アンテナ給電インターフェースの信号をカプラーによって検出インターフェースにカップリングさせることによって、検出において、検出インターフェースの検出によりリモート無線装置に故障が発生したか否かを直接的に判定し、検出が更に簡単で、機器の動作中にアンテナ給電ケーブルを切断する必要がなく（即ち、サービス業務を中断する必要がない）、減衰器を別途に追加する必要もなく、リモート無線装置を分解する必要もないし、メンテナンスの難易度及び作業量を低減できる。
【図面の簡単な説明】
【００１６】
【図１】図１は、本発明の一実施形態の透過構造の概略図である。
【図２】図２は、図１の他の方向からの一部の断面構造の概略図である。
【発明を実施するための形態】
【００１７】
以下、具体的な実施形態と図面を結合して本発明を更に詳しく説明する。
図１と２を参照すると、本発明の一実施形態によれば、リモート無線装置を提供し、アンテナ給電ケーブルを接続するための少なくとも一つのアンテナ給電インターフェースを備え（好適な実施形態として、図１と２において、第１のＡＮＴアンテナ給電インターフェース２と第２のＡＮＴアンテナ給電インターフェース３の二つのアンテナ給電インターフェースを示している）、少なくとも一つの検出インターフェース（好適な実施形態として、図１と２において、２対即ち第１のＦＷＤ検出インターフェース９と、第１のＲＥＶ検出インターフェース１０と、第２のＦＷＤ検出インターフェース７と、第２のＲＥＶ検出インターフェース８の四つの検出インターフェースを示している）と、前記検出インターフェースと同数量のカプラー１１とをさらに備え、前記カプラー１１は前記アンテナ給電インターフェースからの信号伝送リンクに接続される。前記検出インターフェースは、カプラー１１を接続することによって、アンテナ給電インターフェースの検出を実現する（ＲＦケーブル（高周波ケーブル６）を追加して接続することで、接続長さが不足する問題を解決することができる）。検出インターフェースを設け、アンテナ給電インターフェースの信号をカプラー１１によって検出インターフェースにカップリングすることで、検出において、検出インターフェースの検出によりリモート無線装置に故障が発生したか否かを直接に判定し、検出が更に簡単で、機器の動作中にアンテナ給電ケーブルを切断する必要がなく、減衰器を別途に追加する必要もなく、リモート無線装置を分解する必要もなく、メンテナンスの難易度及び作業量を低減できる。
【００１８】
具体的に、前記カプラー１１は、入力端と、直通端と、カップリング端と、を備え、前記カプラー１１は、入力端と直通端を介して前記アンテナ給電インターフェースからの信号伝送リンクに接続され、前記カップリング端は前記検出インターフェースに接続される。
【００１９】
具体的に、アンテナ給電インターフェースは送信信号（順方向パワー）と受信信号（逆方向パワー）とを含み、一つのアンテナ給電インターフェースに対して二つのカプラー１１を設け、当該二つのカプラー１１は前記アンテナ給電インターフェースからの信号伝送リンクに直列接続され、当該二つのカプラー１１同士は入力端又は直通端を介して接続される。このように、二つのカプラー１１を直接に逆方向接続する場合、その中の一つのカプラー１１のカップリング端で検出されるのは送信信号であり、他のカプラー１１のカップリング端で検出されるのは受信信号である。二つのカプラー１１を設けると、更に多い機能を検出できる。
【００２０】
実施の際に、前記リモート無線装置は二つのアンテナ給電インターフェースを備えることもでき、対応して、四つの検出インターフェースと、四つのカプラー１１を設ける。
【００２１】
実施の際に、更に多いアンテナ給電インターフェースを備える場合、各アンテナ給電インターフェースに対して、最高二つの検出インターフェースと二つのカプラー１１を設ければ、全てのパラメータを検出することができる。
【００２２】
具体的に、リモート無線装置は前記アンテナ給電インターフェースに接続されるデュプレクサを備え、前記カプラー１１は前記アンテナ給電インターフェースからの信号伝送リンクに接続され、デュプレクサとアンテナ給電インターフェースとの間に接続されることもできる。その製造方法は、デュプレクサとアンテナ給電インターフェースとの接続部分に一つのカプラー１１を直列に装着し、カプラー１１のカップリング端は高周波ケーブル６を介して検出インターフェースに接続される。また、実施の際に、前記カプラーはねじを用いて前記デュプレクサに固定することもできる。
【００２３】
具体的に、リモート無線装置はケース１を備え、検出インターフェースはケースに設けられることで、検出の便宜を図ることができる。
【００２４】
実施の際に、ケース１に溝をさらに設けることが可能で、前記検出インターフェースは当該溝に設けられることができる。検出インターフェースを保護且つカバーする役割を実現する。溝の開口にはカバープレートをさらに設けることが可能で、更なる保護作用を実現することができる。
【００２５】
実施の際に、ケース１に孔と当該孔を覆うカバープレートと直接に設けて、前記検出インターフェースを当該孔に設けることができる。
【００２６】
実施の際に、ケース１にＲＲＵの電源スイッチ５を設けることもできる。
【００２７】
他の実施形態において、リモート無線装置は、パワー測定モードと復調モードを有するスペクトラムアナライザをさらに備え、スペクトラムアナライザは前記検出インターフェースと接続するためのＲＦ入力ポートをさらに備えることができる。
【００２８】
以下、図１と２に示す実施形態を詳しく説明する。
図に示したように、ＲＲＵに二つのアンテナ給電インターフェース（即ち、第１のＡＮＴアンテナ給電インターフェース２と、第２のＡＮＴアンテナ給電インターフェース３）が設けられ、対応して、２対（四つ）の検出インターフェース（即ち、第１のＦＷＤ検出インターフェース９と、第１のＲＥＶ検出インターフェース１０と、第２のＦＷＤ検出インターフェース７と、第２のＲＥＶ検出インターフェース８）が設けられている。そのうち、第１のＦＷＤ検出インターフェース９は第１のＡＮＴアンテナ給電インターフェース２の送信信号を検出し、第１のＲＥＶ検出インターフェース１０は第１のＡＮＴアンテナ給電インターフェース２の受信信号を検出し、第２のＦＷＤ検出インターフェース７は第２のＡＮＴアンテナ給電インターフェース３の送信信号を検出し、第２のＲＥＶ検出インターフェース８は第２のＡＮＴアンテナ給電インターフェース３の受信信号を検出する。
【００２９】
ＲＲＵの第１のＡＮＴアンテナ給電インターフェース２の順方向パワー用のカプラー１１（第１の接続方向のカプラー）と逆方向パワー用のカプラー１１（第１の接続方向に対し、逆方向に接続されたカプラー）の出力を第１のＦＷＤ検出インターフェース９と第１のＲＥＶ検出インターフェース１０に接続し（いずれも、ＳＭＡコネクタを用いることができる）、実際の結合度を標記する。実際の適用において、スペクトラムアナライザを直接に利用して当該第１のＦＷＤ検出インターフェース９と第１のＲＥＶ検出インターフェース１０の信号を検出し、結合度を加えれば、第１のＡＮＴアンテナ給電インターフェース２の順方向パワーと逆方向パワーを得ることができ、且つ第１のＡＮＴアンテナ給電インターフェース２が出力する信号のスペクトラムを調査又は復調を行うことができ、信号の品質を調査することができる。同様に、ＲＲＵの第２のＡＮＴアンテナ給電インターフェース３の順方向パワー用のカプラー１１と逆方向パワー用のカプラー１１の出力を操作メンテナンスウィンドウ４における第２のＦＷＤ検出インターフェース７と第２のＲＥＶ検出インターフェース８に接続し、実際の結合度を標記する。実際の適用において、スペクトラムアナライザを直接に利用して当該第２のＦＷＤ検出インターフェース７と第２のＲＥＶ検出インターフェース８の信号を検出し、結合度を加えれば、第２のＡＮＴアンテナ給電インターフェース３の順方向パワーと逆方向パワーを得ることができ、且つ第２のＡＮＴアンテナ給電インターフェース３が出力する信号のスペクトラムを調査又は復調を行うことができ、信号の品質を調査することができる。
【００３０】
実施の際に、検出インターフェースはＲＲＵのケース１の上半部分に設けることができる（即ち、ＲＲＵの内部の電源プレートと受送信プレートに位置する）。これにより、配線の便宜を図ることができる。
【００３１】
具体的に、図１と２に示す実施の検出における操作は以下の通りである。
（１）第１のＦＷＤ検出インターフェース９の検出
第１のＦＷＤ検出インターフェース９に携帯式スペクトラムアナライザのＲＦ入力ポートを接続し、スペクトラムアナライザをパワー測定モードに設定して順方向出力パワーを測定し、その後、第１のＦＷＤ検出インターフェース９に対応する結合度（インターフェース周辺に標記することができる）を加えれば、第１のＡＮＴアンテナ給電インターフェース２の実際の順方向出力パワーを得ることができる（ステップ１）。
ステップ１のように接続し、スペクトラムアナライザを復調モードに設定して順方向出力信号の変調品質を検出すれば、第１のＡＮＴアンテナ給電インターフェース２の順方向出力信号の変調品質が得られる（ステップ２）。
【００３２】
（２）第１のＲＥＶ検出インターフェース１０の検出
操作メンテナンスウィンドウの第１のＲＥＶ検出インターフェース１０に携帯式スペクトラムアナライザのＲＦ入力ポートを接続し、スペクトラムアナライザをパワー測定モードに設定して逆方向入力パワーを測定し、その後、第１のＲＥＶ検出インターフェース１０に対応する結合度を加えれば、第１のＲＥＶ検出インターフェース１０の実際の逆方向入力パワーが得られる。操作方式（１）のステップ１の順方向出力パワーから、第１のＡＮＴアンテナ給電インターフェース２のＶＳＷＲ（電圧定在波比）を導き出すことができる（ステップ１）。
ステップ１のように接続し、スペクトラムアナライザを復調モードに設定して信号の変調品質を測定し、第１のＡＮＴアンテナ給電インターフェース２の逆方向入力信号の変調品質が得られる（ステップ２）。
【００３３】
（３）第２のＦＷＤ検出インターフェース７の検出
操作メンテナンスウィンドウの第２のＦＷＤ検出インターフェース７に携帯式スペクトラムアナライザのＲＦ入力ポートを接続し、スペクトラムアナライザをパワー測定モードに設定して順方向出力パワーを測定し、その後、第２のＦＷＤ検出インターフェース７に対応する結合度を加えれば、第２のＡＮＴアンテナ給電インターフェース３の実際の順方向出力パワーが得られる（ステップ１）。
ステップ１のように接続し、スペクトラムアナライザを復調モードに設定して順方向出力信号の変調品質を測定し、第２のＡＮＴアンテナ給電インターフェース３の順方向出力信号の変調品質が得られる（ステップ２）。
【００３４】
（４）第２のＲＥＶ検出インターフェース８の検出
操作メンテナンスウィンドウの第２のＲＥＶ検出インターフェース８に携帯式スペクトラムアナライザのＲＦ入力ポートを接続し、スペクトラムアナライザをパワー測定モードに設定して逆方向入力パワーを測定し、その後、第２のＲＥＶ検出インターフェース８に対応する結合度を加えれば、第２のＡＮＴアンテナ給電インターフェース３の実際の逆方向入力パワーが得られる。操作方式（３）のステップ１の順方向出力パワーから、第２のＡＮＴアンテナ給電インターフェース３のＶＳＷＲを導き出すことができる（ステップ１）。
ステップ１のように接続し、スペクトラムアナライザを復調モードに設定して信号の変調品質を測定し、第２のＡＮＴアンテナ給電インターフェース３の逆方向入力信号の変調品質が得られる（ステップ２）。
【００３５】
ここで、既存の２Ｔ２Ｒ（送信２本、受信２本）ＲＲＵは通常、受信アンテナと送信アンテナが一体化され、送信極と受信極とが区別されていなく、通常は同一のアンテナで受信及び送信を行っているが、例えば２Ｔ４Ｒ（送信２本、受信４本）のような特別構造もあるものの、ただＲＲＵ構造上の区別に過ぎなく、アンテナはいずれも同一なものを利用していた。本発明は２Ｔ２ＲのＲＲＵを指す。そして、上述の原理に基づいて、例えば２Ｔ４Ｒ  ＲＲＵのような他のＲＲＵに適用することも可能である。
【００３６】
以上は、具体的な実施形態を結合して本発明を詳しく説明したもので、本発明の具体的な実施はこれらの説明に限定されるものと認定すべではない。当業者であれば、本発明の思想を離脱しない範囲内において、簡単な推定又は切り替えを行うことができ、これらのいずれも本発明の保護範囲に含まれると見なすべきである。
【符号の説明】
【００３７】
１  ケース
２  第１のアンテナ給電インターフェース
３  第２のアンテナ給電インターフェース
４  操作メンテナンスウィンドウ
５  電源スイッチ
６  高周波ケーブル
７  第２のＦＷＤ検出インターフェース
８  第２のＲＥＶ検出インターフェース
９  第１のＦＷＤ検出インターフェース
１０  第１のＲＥＶ検出インターフェース
１１  カプラー
【図１】
2015531555.tif 000003
【図２】
2015531555.tif 000004
【国際調査報告】
2015531555.tif 000005
2015531555.tif 000006
2015531555.tif 000007
2015531555.tif 000008